(57)【要約】  電子機器（ＥＥ）のためのＥＰＧデータ処理デバイス（Ｄ）である。該デバイスは、ｉ）チャンネル番組を特定し、チャンネル名とチャンネル番組名とを表す第１のデータと、チャンネル番組の開始時刻を表す第２のデータと、チャンネル番組の終了時刻を表す第３のデータとを少なくとも含むデータセットにアクセスし、ｉｉ）表示されているデータのページに対応する各データセットに続くアクセスしたデータセットの中から、最も早い終了時刻を有するものを決定し、前記最も早い終了時刻の直前の時間参照を画成するために、この時間参照を表示する後続ページに関連付け、または、表示されたデータのページに対応する各データセットより前のアクセスしたデータセットの中から、最も遅い開始時刻を有するものを決定し、前記最も遅い終了時刻の直後の時間参照を画成するために、この時間参照を表示する先行ページに関連づけ、ｉｉｉ）アクセスしたデータセットの中から、画成した時間参照を含む時間を示す第２のデータと第３のデータを有する各データセットを選択し、ｉｖ）前記決定された時間参照に関連づけられたページの相異なるラインにそれぞれ表示するために、選択した前記データセットを供給するように構成された処理手段（ＰＭ）を有する。
2009503925.tif 000002
【特許請求の範囲】
【請求項１】
電子機器のための電子番組ガイドデータ処理デバイスであって、
ｉ）チャンネル番組を特定し、チャンネル名とチャンネル番組名とを表す第１のデータと、チャンネル番組の開始時刻を表す第２のデータと、チャンネル番組の終了時刻を表す第３のデータとを少なくとも含むデータセットにアクセスし、
ｉｉ）表示されているデータのページに対応する各データセットに続くデータセットの中から、最も早い終了時刻を有するものを決定し、前記最も早い終了時刻の直前の時間参照を画成し、この時間参照を表示する後続ページに関連付け、または、表示されたデータのページに対応する各データセットより前のデータセットの中から、最も遅い開始時刻を有するものを決定し、前記最も遅い終了時刻の直後の時間参照を画成し、この時間参照を表示する先行ページに関連づけ、
ｉｉｉ）前記データセットの中から、前記画成した時間参照を含む時間を示す第２のデータと第３のデータを有する各データセットを選択し、
ｉｖ）前記決定された時間参照に関連づけられたページの相異なるラインにそれぞれ表示するために、選択した前記データセットを供給するように構成された処理手段を有することを特徴とするデバイス。
【請求項２】
前記処理手段は、選択された前記データセットを、そのデータセットがそのチャンネルに割り当てられたページラインのセルに表示させるために、選択された前記データセットを供給するように構成された、請求項１に記載のデバイス。
【請求項３】
前記処理手段は、
ｉ）ページラインの全体を占める第１のタイプのセルを、表示されたページに寄与し先行するページと後続のページの両方にも寄与する選択された各データセットにアトリビュートし、
ｉｉ）または、ページラインの一部を占める第２のタイプのセルを、表示されたページのみに寄与する選択された各データセットにアトリビュートし、第３と第４のタイプのセルを第２のタイプのセルの直前または直後に、同じページライン上にそれぞれ表示し、
ｉｉｉ）または、ページラインの一部を占める第５のタイプのセルを、表示されたページと先行するページに寄与するが、後続のページには寄与しない選択されたデータセットにアトリビュートし、第４のタイプのセルを第５のタイプのセルの直後に、同じページライン上に表示し、
ｉｖ）または、ページラインの一部を占める第６のタイプのセルを、表示されたページと後続するページに寄与するが、先行するページには寄与しない選択されたデータセットにアトリビュートし、第３のタイプのセルを第６のタイプのセルの直前に、同じページライン上に表示する、請求項２に記載のデバイス。
【請求項４】
前記処理手段は、
選択された番組データを表す第１の補助データと、及び／または選択された番組データの曜日を表す第２の補助データと、及び／または選択された日の２４時間の少なくとも一部内における、表示されたページの時間参照の位置を表す第３の補助データとを供給するように構成された、請求項１ないし３いずれか一項に記載のデバイス。
【請求項５】
前記処理手段は、表示されたページに後続する新しいページを画成するデータセットの表示の要求を受信し、前記選択されたデータセットと補助データとを、新しい後続の番組に対応するデータセットに関連づけられたセルが、対応する表示ページラインを右から左にアニメイトされて表示されるように表示するように構成された、請求項１ないし４いずれか一項に記載のデバイス。
【請求項６】
前記処理手段は、表示されたページに先行する新しいページを画成するデータセットの表示の要求を受信し、前記選択されたデータセットと補助データとを、新しい先行する番組に対応するデータセットに関連づけられたセルが、対応する表示ページラインを左から右にアニメイトされて表示されるように表示するように構成された、請求項１ないし５いずれか一項に記載のデバイス。
【請求項７】
請求項１乃至６いずれか一項に記載の電子番組ガイドデータ処理デバイスを有することを特徴とする電子機器。
【発明の詳細な説明】
【発明の詳細な説明】
【０００１】
本発明は電子番組ガイド（すなわちＥＰＧ）の分野に関し、具体的には電子機器に表示させるＥＰＧデータの処理に関する。
【０００２】
セットトップボックス、テレビジョンレシーバ、ＤＶＤレコーダ、テレビジョンレシーバ付きコンピュータ等、ますます多くの電子機器に電子番組ガイド（ＥＰＧ）データ処理デバイス（device）（以下、「デバイス」と呼ぶ）が組み込まれ、ユーザに放送内容を知らせるために表示するデータを提供（deliver）している。電子機器ユーザに表示される情報データ量は、その電子機器が受信できるチャネル数に依存している。そのため、この情報データ量が重要である。
【０００３】
ユーザが多量の重要な情報データを容易にナビゲーション（navigate）できるようにするため、デバイスには３つの特徴が備わっている必要がある：ユーザが必要な情報に素早く到達できるように、速くなくてはならない（これは、高速性である）；ユーザが情報データ中をナビゲーションする時、情報を逃さないようにするため、すべての情報を表示（present）する必要がある（これは網羅性であり、受信チャンネルのすべての番組を表示しなければならない）。１日の同じ時間帯（a  same  part）に放送するチャンネル番組は同じページに表示しなければならない（これはコヒーレンス性である）。
【０００４】
また、ナビゲーションは理解しやすく、ユーザが直感的に使用できるものである必要がある。例えば、ユーザが、ナビゲーション中に見た情報データを、容易に再度見つけることができることが重要である。
【０００５】
既知のデバイスのほとんどは格子状ＥＰＧデータを提供している。格子にはチャンネルごとのラインがあり、各ラインには一連のセルにチャンネル番組（channel  programmes）が表示される。各セルの幅はそのセル中の番組の長さに比例している。この表示方法は一見するとよく見える。その日のその時間帯を一覧することができるからである。しかし、この情報データの表示方法は、短時間の番組が格子中で区別しずらいために見づらいこともある。
【０００６】
また、１つのチャンネルのすべての番組を１ページに表示することも提案されている。この場合、ユーザはすべてのチャンネル番組を見るには多数のページをナビゲーションしなければならない。そのため、ユーザはある時間に放送されている、または放送される番組の概要を見ることができない。
【０００７】
さらに、ページごとに１ラインを割り当て、各ラインに１つの番組のみを表示することも提案されている。この場合、次の番組にアクセスするために異なるタイプのナビゲーションを使用する。
【０００８】
第１のタイプのデバイスは、ページに係わる（contributing）各データセットに時間マーカを関連させる。ユーザが後続の番組を表示させる時、次の時間マーカにジャンプするためである。これにより、２つの連続するマーカ間の時間間隔が十分大きければ、ユーザは番組間を非常に速くナビゲーションできる。しかし、時間間隔が大きければ大きいほど、より多くの番組を見損なうおそれがある（その時間間隔より短い番組がスキップされやすい）。この第１のタイプのデバイスでは、コヒーレンス性は確保されるが、時間間隔の大きさにより、網羅性（completeness  characteristic）または高速性（speed  characteristic）のいずれかが失われる。
【０００９】
第２のタイプのデバイスは、チャンネルごとに、ユーザが次のページを要求するたびに、現在表示されている番組に続く番組を表示させる。これにより、番組が表示されないことを避け、網羅性を確保している。また、高速性も確保している。ページ間のナビゲーションはユーザが望むくらい高速だからである。しかし、コヒーレンス性は、ほとんどの場合、異なるチャンネルの番組の長さが異なると、すぐに失われてしまう。
【００１０】
第３のタイプのデバイスは、現在表示されている番組を最初に終了させるとき、各チャンネルの現在表示されている番組を次の番組に置き換え、一方、表示されている他の番組はそのままにしておく。このソリューションは、コヒーレンス性と網羅性は保っているが、非常に遅くなることがある。
【００１１】
既知のソリューションはどれも満足のいくものではない。どのソリューションも、上記の３つの特徴（コヒーレンス性、網羅性、及び高速性）を同時に満たさず、表示した情報データ間でユーザフレンドリなナビゲーションができないからである。それゆえ、本発明は、上記の３つの特徴を備えた、ユーザが理解しやすいナビゲーションを提供する電子番組ガイド（ＥＰＧ）データ処理デバイスを提供することを目的としている。
【００１２】
この目的のため、電子機器用の電子番組ガイドデータ処理デバイス（以下、「デバイス」と呼ぶ）を提供する。該デバイスは、
−  チャンネル番組を特定し、チャンネル名とチャンネル番組名とを表す第１のデータと、チャンネル番組の開始時刻を表す第２のデータと、チャンネル番組の終了時刻を表す第３のデータとを少なくとも含むデータセットにアクセスし、
−  表示されているデータのページに対応する各データセットに続くアクセスしたデータセットの中から、最も早い終了時刻を有するものを決定し、前記最も早い終了時刻の直前の時間参照を画成するために、この時間参照を表示する後続ページに関連付け、または、表示されたデータのページに対応する各データセットより前のアクセスしたデータセットの中から、最も遅い開始時刻を有するものを決定し、前記最も遅い終了時刻の直後の時間参照を画成するために、この時間参照を表示する先行ページに関連づけ、
−  アクセスしたデータセットの中から、画成した時間参照を含む時間を示す第２のデータと第３のデータを有する各データセットを選択し、
−  前記決定された時間参照に関連づけられたページの相異なるラインにそれぞれ表示するために、選択した前記データセットを供給するように構成された処理手段（ＰＭ）を有する。
【００１３】
本発明によるデバイスは、別に考えても、組み合わせて考えてもよい追加的特徴を含んでもよく、特に、
−  その処理手段は、選択された各データセットを、そのチャンネルに割り当てられたページラインのセルに表示させるために、選択されたデータセットを供給するように構成されてもよく、
−  その処理手段は、
ｉ）  ページライン全体を占める第１のタイプのセルを、表示されたページ及び先行及び後続のページの両方に寄与する選択された各データセットにアトリビュート（attribute）し、
ｉｉ）または、ページラインの一部を占める第２のタイプのセルを、表示されたページのみに寄与する選択された各データセットにアトリビュートし、第３と第４のタイプのセルを第２のタイプのセルの直前または直後に、同じページライン上にそれぞれ表示し、
ｉｉｉ）または、ページラインの一部を占める第５のタイプのセルを、表示されたページと先行するページに寄与するが、後続のページには寄与しない選択されたデータセットにアトリビュートし、第４のタイプのセルを第５のタイプのセルの直後に、同じページライン上に表示し、
ｉｖ）または、ページラインの一部を占める第６のタイプのセルを、表示されたページと後続するページに寄与するが、先行するページには寄与しない選択されたデータセットにアトリビュートし、第３のタイプのセルを第６のタイプのセルの直前に、同じページライン上に表示する。
−  その処理手段は、
選択された番組データを表す第１の補助データと、及び／または選択された番組データの曜日を表す第２の補助データと、及び／または選択された日の２４時間の少なくとも一部内における、表示されたページの時間参照の位置を表す第３の補助データとを供給するように構成されてもよい。
−  前記処理手段は、現在表示されているページに後続する新しいページを画成するためのデータセットの表示の要求を受信し、選択されたデータセットと補助データとを、新しい後続の番組に対応するデータセットに関連づけられたセルが、対応する表示ページラインを右から左にアニメイトされて表示されるように表示するように構成される。
−  前記処理手段は、表示されているページに先行する新しいページを画成するためのデータセットの表示の要求を受信し、選択されたデータセットと補助データとを、新しい先行する番組に対応するデータセットに関連づけられたセルが、対応する表示ページラインを左から右にアニメイトされて表示されるように表示するように構成される。
【００１４】
本発明は、上記のようなＥＰＧデータ処理デバイスを有する電子機器も提供する。
【００１５】
本発明のその他の特徴と有利性は、以下の詳細な説明と添付した図面を読めば明らかになるであろう。
【００１６】
添付した図面は本発明を説明する（complete）ためだけではなく、必要に応じてそれを規定に寄与するために使用する。
【００１７】
最初に図１を参照して、本発明を適用できる電子機器ＥＥを簡単に説明する。
【００１８】
前述のように、本発明は、コンシューマエレクトロニクス製品等の多数の電子機器ＥＥが表示する電子番組ガイド（すなわちＥＰＧ）に関する。以下の説明では、電子機器ＥＥは、多数のチャンネルのデジタル放送テレビジョン（ＴＶ）番組を受信してデジタルデコーダＤＤによりデコード（decoding）するためのデジタルＴＶセットトップボックスであるとする。しかし、本発明はこのタイプの電子機器に限定されない点に留意することは重要である。確かに、本発明は、モバイルであってもなくても、ＴＶセットに結合され、またはテレビジョンとして機能するいかなる電子機器にも適用可能である。特に、テレビジョンレシーバ、ＤＶＤレコーダ、またはテレビジョンレシーバを備えたパーソナルコンピュータや携帯電話に適用可能であり、ひいては自動車、バス、トラック、列車、または飛行機等の乗り物に設置する電子機器にも適用できる。
【００１９】
例えば、デジタルＴＶセットトップボックスＥＥは、デジタルＴＶ放送ネットワーク（衛星またはケーブル）に接続されている。該デジタルＴＶセットトップボックスＥＥは、ネットワークから放送されたデジタル符号化データを受信し、セットトップボックスＥＥが接続されているＴＶセットのユーザが選択したチャンネルで送信された符号化データをデジタルデコーダＤＤによりデコードし、選択したチャンネル番組をＴＶセットＴＳの画面ＳＣに表示するため、デジタル復号したデータをＴＶセットＴＳに供給する。
【００２０】
デジタルＴＶセットトップボックスＥＥは、ネットワークから受信した各チャンネルの番組を示す情報データを受信し、それをメモリ手段ＭＭに記憶する。各チャンネル番組は、特に、チャンネル名とチャンネル番組名を表す少なくとも第１のデータと、チャンネル番組の開始時間を示す第２のデータと、チャンネル番組の終了時刻を表す第３のデータ（これは終了時刻であるか、または番組の時間（duration）であってもよい）とを含むデータにより示される。
【００２１】
図示した（非限定的）例では、デジタルＴＶセットトップボックスＥＥは、ＴＶセットＴＳの画面ＳＣに表示するために、メモリ手段ＭＭ中の選択されたデータセットをＴＶセットＴＳに供給するための電子番組ガイド（ＥＰＧ）データ処理デバイス（以下、「デバイス」と呼ぶ）Ｄを含む。
【００２２】
この目的のため、装置Ｄは、例えば、電子機器ＥＥのリモコンＲＣにより示されたユーザ選択に対応する番組を選択するために、メモリ手段ＭＭに記憶された、受信チャンネルの番組をそれぞれ特定（define）するデータセットにアクセスするように構成された処理モジュールＰＭを含む。
【００２３】
留意すべき点として、装置Ｄはその電子機器ＥＥに記憶されていないデータセットにアクセスできるように構成されていてもよい。実際、データセットはサーバに記憶され、そのサーバにはインターネット（ＩＰ）ネットワーク等の通信ネットワークやテレコミュニケーションネットワーク等のその他の通信ネットワークによりアクセス可能であってもよい。
【００２４】
好ましくは、ユーザがＥＰＧにセクセスすると、第１のページが画面ＳＣ上に表示され、その画面ＳＣにはネットワークが現在、すなわちアクセスの日時に放送しているチャンネル番組が含まれている。
【００２５】
図２に示したように、本発明によるページは、チャンネルＣｉごとに割り当てられ、チャンネル番組を特定（defining）するデータセットを含むラインを含む。データセットとは、すなわち、少なくともチャンネル番組名を表す第１のデータと、チャンネル番組の開示時刻を表す第２のデータと、チャンネル番組の時間（duration）及び／または終了時刻を示す第３のデータとである。ページは好ましくは曜日も含み、ユーザがブラウズしやすくなっている。現在時刻及び／またはその日の日付を含んでもよい。表示するこれらのデータはすべてデバイスＤが供給する。
【００２６】
本発明によると、デバイスＤの処理モジュールＰＭは、表示する各ページに時間参照（time  reference）ＴＲを関連づけるように構成されている。図２に示したように、この時間参照ＴＲを表す情報を、関連づけられたページに表示してもよい。ユーザは、時間参照ＴＲそのものを知りたいわけではない。さらに、ユーザが２つのページを行き来するとき、時間参照ＴＲがまったく同じであることは必須ではない。例えば、時間参照ＴＲはスライドやポインタで実現してもよい。この場合、ライン上の位置が１日のうちのおおよその時間を表す。図２に示した例では、このラインは午前６時００分に始まっている。
【００２７】
処理モジュールＰＭが実施する、ページに付随する時間参照ＴＲを示すメカニズムは、リモコン（remote  control  case）ＲＣによりユーザが送信したコマンドによって決まる。より具体的には、ユーザが現在表示されているページの前後のページを見たいかどうかによって決まる。デバイスＤにコマンドを送信するため、ユーザは例えばリモコンＲＣの左右キーを操作する。表示されたページには１グループの番組に割り当てられた限られた数のラインが含まれており、ユーザはリモコンＲＣの上下キーを操作して、時間参照ＴＲを一定にしたままで番組の１つのグループから他のグループに移動することもできる。
【００２８】
ユーザが次のページを見たいとき、処理モジュールＰＭは現在表示されているページに寄与（contribute）するデータセットのすぐ次のデータセットを、（記憶された）データセットの中から決定する。次に、これらの「後続の」データセットの中から、最も早い終了時刻を表す第３のデータを含むデータセットを決定する。「最も早い終了時刻」とは、現在表示されているチャンネル番組のすぐ後に続くチャンネル番組の終了時刻の中で最初のものである。
【００２９】
次に、処理モジュールＰＭは、この最も早い終了時刻の直前の新しい時間参照ＴＲ（ｎ＋１）を画成し、この時間参照ＴＲ（ｎ＋１）を表示される次のページに関連づける。「直前」とは、最も早い終了時刻の前の時間を意味し、例えば、放送データの精度に応じて決まる。そのため、その時間（time  duration）は、番組予定表の精度が１分より細かいときは、数秒であり（例えば、２秒乃至５秒前）、番組予定表が分単位の精度であるとき、数十秒（例えば、２０秒乃至３０秒前）である。
【００３０】
この時間参照決定メカニズム（time  reference  definition  mechanism）を図３Ａ乃至図３Ｃに示した。この例では、８つのチャンネルＣ１−Ｃ８（Ｃｉ）の３つの連続する番組が格子状（in  the  form  of  a  grid）に実施されており、各セルはチャンネル番組を表し、各セルの幅はそれが表す番組の時間（duration）に比例する。さらに、各チャンネルのセル（または番組）は、時間参照ＴＲ（ｎ）に関連づけられた現在表示されているページに寄与していると、灰色になっている。灰色のセルの直前または直後のチャンネルセルは黒であり、黒いセルの直前または直後のチャンネルセルは点を付した白になっている。言い換えると、灰色のセルがページに表示されているチャンネル番組を表す。
【００３１】
ユーザが図３Ａの時間参照ＴＲ（ｎ）に関連するページの次のページを要求した時、処理モジュールＰＭは、灰色のセルのすぐ後の黒いセルの中から、最も早い終了時刻を有するものを決定する。この例では、最初に終了する黒いセルは第１のチャンネルＣ１のものである。次に、処理モジュールＰＭは、図３Ｂに示したように、第１のチャンネルＣ１の第２の（黒い）セルの終了時刻の直前の新しい時間参照ＴＲ（ｎ＋１）を画成し、この時間参照ＴＲ（ｎ＋１）を表示される次のページに関連づける。
【００３２】
処理モジュールＰＭは、新しい時間参照ＴＲ（ｎ＋１）を画成すると、データセットの中から、この画成された時間参照ＴＲ（ｎ＋１）を含む時間（time  interval）を示す第２のデータ（開始時刻）と第３のデータ（終了時刻）を含むものを選択する。次に、処理モジュールＰＭは、デジタルセットトップボックスＥＥの表示制御の下で、これらの選択したデータセットを、ＴＶセットＴＳが新しいページの相異なるライン上にそれぞれ表示できるように、設定する。図３Ｂに示した例では、新しい（次の）ページに寄与（contribute）するように選択されたセルは灰色である。ここで、第４のチャンネルＣ４、第６のチャンネル（Ｃ６）、及び第７のチャンネル（Ｃ７）以外では、各チャンネルにおいて新しい番組が選択される。それらの最初の番組の終了時刻は新しい時間参照ＴＲ（ｎ＋１）の後だからである。
【００３３】
ユーザが図３Ｂの時間参照ＴＲ（ｎ＋１）に関連する新しいページの次のページを要求したとき、処理モジュールＰＭは、（図３Ｂの）灰色のセルのすぐ後の黒いセルの中から、最も早い終了時刻を有するものを決定する。この例では、最初に終了する黒いセルは第３のチャンネルＣ３のものである。次に、処理モジュールＰＭは、図３Ｃに示したように、第３のチャンネルＣ３の第３の（黒い）セルの終了時刻の直前の新しい時間参照ＴＲ（ｎ＋２）を画成し、この時間参照ＴＲ（ｎ＋２）を表示される新しい次のページに関連づける。
【００３４】
処理モジュールＰＭは、新しい時間参照ＴＲ（ｎ＋２）を画成すると、データセットの中から、この新しく画成された時間参照ＴＲ（ｎ＋２）を含む時間（time  interval）を示す第２のデータ（開始時刻）と第３のデータ（終了時刻）を含むものを選択する。次に、処理モジュールＰＭは、デジタルセットトップボックスＥＥにより、これらの選択したデータセットを、ＴＶセットＴＳが新しいページの相異なるライン上にそれぞれ表示できるように、設定する。図３Ｃに示した例では、新しい（次の）ページに寄与（contribute）するように選択されたセルは灰色である。ここで、表示する新しい番組はチャンネルＣ１、Ｃ３、Ｃ６、Ｃ７及びＣ８から選択される。他のチャンネルＣ２、Ｃ４、及びＣ５の番組の終了時刻は、前のページに寄与している場合、新しい時間参照ＴＲ（ｎ＋２）の後になるからである。
【００３５】
ここで、ユーザが現在表示されているページの前のページを要求したとき、処理モジュールＰＭは、現在表示されているページに寄与（contribute）するデータセットのすぐ前のデータセットを、（記憶された）データセットの中から決定する。次に、これらの「先行する」データセットの中から、最も遅い開始時刻を表す第２のデータを含むデータセットを決定する。「最も遅い開始時刻」とは、現在表示されているチャンネル番組のすぐ前に先行するチャンネル番組の開始時刻の中で最後のものである。
【００３６】
次に、処理モジュールＰＭは、この最も遅い開始時刻の直後の新しい時間参照ＴＲ（ｎ−１）を画成し、この時間参照ＴＲ（ｎ−１）を表示される次のページに関連づける。「直後」とは、最も遅い終了時刻の後の時間を意味し、例えば、放送データの精度に応じて決まる。そのため、その時間（time  duration）は、番組予定表の精度が１分より細かいときは、数秒（例えば、２秒乃至５秒後）であり、番組予定表が分単位の精度であるとき、数十秒（例えば、２０秒乃至３０秒後）である。
【００３７】
この時間参照画成メカニズム（time  reference  definition  mechanism）を、図３Ａ乃至図３Ｂに使用したのと同様に図３Ｃと図３Ｄに示した。
【００３８】
ユーザが図３Ｃの時間参照ＴＲ（ｎ＋２）に関連するページの前のページを要求した時、処理モジュールＰＭは、灰色のセルのすぐ前の黒いセルの中から、最も遅い開始時刻を有するものを決定する。この例では、最後に開始する黒いセルは第８のチャンネルＣ８のものである。次に、処理モジュールＰＭは、図３Ｄに示したように、第８のチャンネルＣ８の第２の（黒い）セルの開始時刻の直後の新しい時間参照ＴＲ（ｎ＋１）を画成し、この時間参照ＴＲ（ｎ＋１）を表示される前のページに関連づける。
【００３９】
処理モジュールＰＭは、新しい時間参照ＴＲ（ｎ＋１）を画成すると、データセットの中から、この画成された時間参照ＴＲ（ｎ＋１）を含む時間（time  interval）を示す第２のデータ（開始時刻）と第３のデータ（終了時刻）を含むものを選択する。次に、処理モジュールＰＭは、デジタルセットトップボックスＥＥにより、これらの選択したデータセットを、ＴＶセットＴＳが新しいページの相異なるライン上にそれぞれ表示できるように、設定する。図３Ｄに示した例では、新しい（次の）ページに寄与（contribute）するように選択されたセルは灰色である。ここで、表示する新しい番組はチャンネルＣ１、Ｃ３、Ｃ６、Ｃ７及びＣ８から選択される。他のチャンネルＣ２、Ｃ４、及びＣ５の番組の開始時刻は、前のページに寄与している場合、新しい時間参照ＴＲ（ｎ＋１）の前になるからである。
【００４０】
図２、４、５に示したように、処理モジュールＰＭは、好ましくは、チャンネルに割り当てられたページラインの１つのセルに各選択データを表示できるように、選択された各データセットを供給する。換言すると、各ページラインには、チャンネル番組を表す情報を含むセルが１つしかない（または、処理モジュールＰＭは表示された各チャンネルについて１度に１つの番組のみを表示する）。情報を含むこのセルはライン全部を占める（Ｔ１）か、その一部を示す（Ｔ２、Ｔ５、及びＴ６）。
【００４１】
例えば、処理モジュールＰＭは：
−  ページライン全体を占める第１のタイプのセルＴ１を、表示されたページ及び先行及び後続のページの両方に寄与する選択された各データセットにアトリビュート（attribute）する。この第１のタイプのセルＴ１は、ユーザに、表示されたチャンネル番組が先行または後続のページに行っても同じであることを示す。
−  ページラインの一部を占める第２のタイプのセルＴ２を、表示されたページのみに寄与する選択された各データセットにアトリビュートし、第３と第４のタイプの（トランケートされた（truncated））セルを第２のタイプのセルＴ２の直前または直後に、同じページライン上にそれぞれ表示する。この第２のタイプのセルＴ２は、第３と第４のタイプのセルＴ３、Ｔ４の間に挟まれているが、ユーザに、後続または先行するページに行くと表示されるチャンネル番組が変わることを示している。
−  ページラインの一部を占める第５のタイプのセルＴ５を、表示されたページと先行するページに寄与するが、後続のページには寄与しない選択されたデータセットにアトリビュートし、第４のタイプのセルＴ４を第５のタイプのセルＴ５の直後に、同じページライン上に表示する。第５のタイプのセルＴ５は、第４のタイプのセルＴ４が後続するが、ユーザに、後続のページに行くと表示されたチャンネル番組が変わるが、先行するページに行くと変化しないことを示す。
−  ページラインの一部を占める第６のタイプのセルＴ６を、表示されたページと後続ページに寄与するが、先行するページには寄与しない選択されたデータセットにアトリビュートし、第３のタイプのセルＴ３を第６のタイプのセルＴ６の直前に、同じページライン上に表示する。第６のタイプのセルＴ６は、第３のタイプのセルＴ３より先行するが、ユーザに、先行するページに行くと表示されたチャンネル番組が変わるが、後続のページに行くと変化しないことを示す。
【００４２】
Ｔ１セルがＴ３セルまたはＴ４セルと併存すること、またはＴ５セルがＴ３セルと併存すること、またはＴ６セルがＴ４セルと併存することはない。反対に、Ｔ５セルにはＴ４セルが付随し、Ｔ６セルにはＴ３セルが付随し、Ｔ２セルにはＴ３セル及びＴ４セルが付随する必要がある。
【００４３】
利用できる先行または後続のチャンネル番組に注意を引くこの種の情報（トランケートされたセル）の表示は一例であることに留意することが重要である。他の種類の表示を考えることもできる。より一般的には、何かが起こるということを示すグラフィックス（graphical  asset）を使用することができる。
【００４４】
新しい後続または先行するページに行くと変化するチャンネル番組にユーザの注意を引くために、処理モジュールＰＭはアニメイテッドトランジション（animated  transitions）を使用してもよい。この場合、新しいチャンネル番組を表す情報データを含むセルを、割り当てられたページライン上で、そのページが前に表示されていたページに後続する時は右から左に、前に表示されていたページよりも先行する時は左から右に動かして（animated）表示することができる。
【００４５】
図２に示したページに続くページの中間的表示を図３に示した。図２に示した例では、ユーザは、チャンネルＣ２、Ｃ３、Ｃ４及びＣ８に割り当てられたページラインは、第４のタイプＴ４のトランケート（truncated）されたセルを含むことが分かる。第４のタイプＴ４は、次の後続のページに行くと、チャンネルＣ２、Ｃ３、Ｃ４及びＣ８に割り当てられたライン上に新しい番組が表示されることを示している。ユーザがチャンネルＣ２、Ｃ３、Ｃ４及びＣ８の番組を表す情報データを含む後続のページに行くと決定すると、図３に示したように、対応するページラインの右側から、図４に示したように全体が現れるまで進むように見える。
【００４６】
重要な注意点として、処理モジュールＰＭが新しいページに寄与するデータセットを供給したとき、チャンネル番組を表す情報データが変化せず、一方、この変化しない情報データを含むセルのタイプが変化する。これは、新しい番組が後続及び／または先行するページで利用可能となることによるものである。
【００４７】
かかる場合は、図２及び図４に示した例で生じる。より具体的には、これらの例では：  
−  第１のページラインの番組は変化しないが、第３のタイプＴ３と第６のタイプＴ６のセルは第５のタイプＴ５と第４のタイプＴ４のセルになる。そのため、ユーザは表示されたチャンネル番組が後続のページに行くと変化することが分かる。
−  第５のページラインの番組は変化しないが、第１のタイプのセルＴ１は第５のタイプＴ５と第４のタイプＴ４のセルになる。そのため、ユーザは表示されたチャンネル番組が後続のページに行くと変化することが分かる。
−  第６のページラインの番組は、第１のタイプのセルＴ１のように変化しない。そのため、ユーザは表示されたチャンネル番組が後続または先行するページに行くと変化しないことが分かる。
−  第７のページラインの番組は変化しないが、第３のタイプＴ３と第６のタイプＴ６のセルは第５のタイプＴ５と第４のタイプＴ４のセルになる。そのため、ユーザは表示されたチャンネル番組が後続のページに行くと変化することが分かる。
【００４８】
情報データを含む（主要な）セルは、番組の時間（duration）及び／または番組の終了時刻を含むことに留意することが重要である。
【００４９】
図２、図３、及び図４に示し上記したように、表示されたページに寄与するための選択されたデータセットに加えて、処理モジュールＰＭは、いずれはユーザが選択する番組データを表す第１の補助データと、及び／またはいずれはユーザが選択する番組データの曜日を表す第２の補助データと、及び／またはいずれはユーザが選択する日の２４時間の少なくとも一部内における、表示されたページの時間参照ＴＲの位置を表す第３の補助データも供給する。
【００５０】
日付または１日の一部を選択するために、ユーザはリモコンの割り当てられたキーを駆動してもよい。
【００５１】
デバイスＤと、特にその処理モジュールＰＭとは、ソフトウェアモジュール、ハードウェアモジュール、またはソフトウェアモジュールとハードウェアモジュールの組合せで実現できる。
【００５２】
本発明は、単なる実施例である上記の電子番組ガイドデータ処理デバイス及び電子機器の実施形態に限定はされず、当業者が特許請求の範囲の範囲にあると考えるすべての代替的実施形態を含む。
【図面の簡単な説明】
【００５３】
【図１】本発明によるＥＰＧデータ処理デバイスの実施形態の一例を備える電子機器を示す概略図である。
【図２】本発明による表示されたページの一例を示す概略図である。
【図３】図３Ａ乃至図３Ｄは、８チャンネルの連続した３つの番組の部分格子の一例に、第１の時間参照（ＴＲ（ｎ））で始まる相異なる３つの時間参照を画成することができるメカニズムを示す概略図である。
【図４】図２と図５に示した表示ページ間の中間の場合に対応する表示ページの第２の例を示す概略図である。
【図５】図２に示した表示ページに続く表示ページの第３の例を示す概略図である。
【図１】
2009503925.tif 000003
【図２】
2009503925.tif 000004
【図３】
2009503925.tif 000005
【図４】
2009503925.tif 000006
【図５】
2009503925.tif 000007
【国際調査報告】
2009503925.tif 000008
2009503925.tif 000009